(57)【要約】【課題】公衆網を利用した通信接続を行い、専用回線（専用線）の番号計画を利用でき、メンテナンス性に優れた電話交換装置を提供する。【解決手段】電話交換装置１０１の電話機１０２から電話交換装置２０１の電話機２０２を呼び出す際に、番号変換テーブル１０６により、専用回線の番号計画に基づくダイヤルを公衆網加入者番号に変換し発信し、電話交換装置２０１は、公衆網からの着信に自動応答した後、可聴音信号送出部１０７、２０７、可聴音信号受信部１０８、２０８により可聴音信号を送受し、相手内線を指定する情報を受信するようにした。【選択図】  図３
2008154294.tif 000002
【特許請求の範囲】
【請求項１】
複数の電話機を収容すると共に、公衆網と接続可能な電話交換装置において、
前記公衆網からの着信に対して自動応答する応答手段と、
前記公衆網に対して仮想専用線であることを示す準備完了信号を送出する準備完了信号送出手段と、
前記準備完了信号送出手段が前記準備完了信号を送出した後、前記公衆網から前記仮想専用線の通話路確立要求を示す要求信号を特定の時間監視する要求信号監視手段と、
前記要求信号監視手段で、特定の時間内に前記公衆網から前記要求信号を受信後、接続先となる電話機を示す情報を受信する接続先情報受信手段と、
前記要求信号監視手段が特定の時間内に前記公衆網から前記要求信号を受信しないときには、前記電話交換装置に予め設定された着信先となる電話機に対して着信処理をする着信手段と、
を備えることを特徴とする電話交換装置。
【請求項２】
前記公衆網から着信したときに前記公衆網から送信される発信者番号情報を受信する発信者番号情報受信手段を備え、
前記発信者番号情報を解析し特定の発信者番号情報であることを認識したときのみ前記応答手段で応答することを特徴とする請求項１記載の電話交換装置。
【発明の詳細な説明】
【技術分野】
【０００１】
本発明は、公衆網を経由して複数の構内交換機が接続されているネットワークにおいて発呼者に被呼者の公衆網の契約番号を意識させること無く、私設線番号計画のみに従って発呼操作することで被呼者内線を直接呼び出すことが可能な専用線と同等の機能を提供する電話交換装置に関する。
【背景技術】
【０００２】
従来、複数の事業所を有する企業において事業所間で内線電話を利用する場合、事業所間で専用回線を契約した上で私設線番号計画に基づきダイヤル操作を行い相互に接続する方法が主流である。しかし、昨今の通信キャリアの変化により、定額の通信料金で公衆網の利用が可能となってきている。
インターネットプロトコルを用いた通信網を利用し、通信コストの抑制を図り、専用回線と同等のサービスを行なうシステムが知られている。（例えば特許文献１参照。）
【０００３】
従って、従来の公衆網を用いた私設専用回線システムによれば、電話交換装置間をアダプタ（いわゆるゲートウェイ。）を用いて接続し、番号変換を行い着信先を決定しているので、利用者は一般的な専用回線を利用しているのと何ら変わらないサービスを得ることができる。
【０００４】
また、公衆網からの着信に対して発信者番号情報を用いて、特定の発信者番号情報を受信した場合に、電話交換装置で自動応答し、ダイレクトインダイヤル方式を用いてダイヤル情報（接続相手先内線電話機）を受信し内線電話機を呼出す方法も知られている。（例えば特許文献２参照。）
【特許文献１】特願平５−１３５号公報
【特許文献２】特願平７−２１７２１０号公報
【発明の開示】
【発明が解決しようとする課題】
【０００５】
しかしながら、特許文献１に記載されたような上記従来の仮想専用回線システムによれば、専用回線と同様のサービスを得ることを可能としたが、電話交換設備にアダプタを追加する設備投資費の増加、及び番号変換テーブルをそれぞれのアダプタで記憶していることで、接続先が増加する毎にすべてのアダプタのデータを変更しなければならず、１対１の対向局のみの接続であればそれなりに利用可能であるが、複数の電話交換装置を接続する場合には、アダプタのメンテナンス（番号変換データ）に膨大な時間と労力を必要とする為、実用的ではなかった。
【０００６】
また、特許文献２に記載されたような電話交換装置においては、接続相手先を指定するダイヤル情報の送出は、着信先の電話交換装置からのダイヤル受信確認音（疑似ダイヤルトーン）の聴取後、発信側の電話機からＰＢ信号を送出しなければならず、操作にわずらわしさを感じるものであった。
【０００７】
本発明は上記点に鑑みてなされたものであり、その目的とするところは、新たな設備であるアダプタを必要とせず、自電話交換設備内で他の電話交換装置への番号変換データを容易に管理でき、ダイヤルされた番号情報を自動で接続相手先電話交換装置に送出することができる電話交換装置を提供することにある。
【課題を解決するための手段】
【０００８】
上記目的を達成するために本発明の電話交換装置は、複数の電話機を収容すると共に、公衆網と接続可能な電話交換装置において、前記公衆網からの着信に対して自動応答する応答手段と、前記公衆網に対して仮想専用線であることを示す準備完了信号を送出する準備完了信号送出手段と、前記準備完了信号送出手段が前記準備完了信号を送出した後、前記公衆網から前記仮想専用線の通話路確立要求を示す要求信号を特定の時間監視する要求信号監視手段と、前記要求信号監視手段で、特定の時間内に前記公衆網から前記要求信号を受信後、接続先となる電話機を示す情報を受信する接続先情報受信手段と、前記要求信号監視手段が特定の時間内に前記公衆網から前記要求信号を受信しないときには、前記電話交換装置に予め設定された着信先となる電話機に対して着信処理をする着信手段と、を備えるようにした。
【０００９】
また、本発明の電話交換装置は、前記公衆網から着信したときに前記公衆網から送信される発信者番号情報を受信する発信者番号情報受信手段を備え、前記発信者番号情報を解析し特定の発信者番号情報であることを認識したときのみ前記応答手段で応答することを特徴とした。
【発明の効果】
【００１０】
上記のように構成された本発明の電話交換装置によれば、本発明に係る電話交換装置１０１、２０１は、専用回線への番号計画に基づいたダイヤル情報を、公衆網１１０に対する加入者番号に変更すること可能とすることができ、単に番号変換を行うのみならず、着信側電話交換装置と信号情報の送受信を行うことによって、接続先となる内線電話機の指定情報を発信側の電話交換装置から自動で送信することができる。
【００１１】
さらに、本発明に係る番号変換テーブル１０６は、図２で示すように、着信先となる加入者番号と専用線番号計画で用いられる事業所番号（電話交換装置の自局着信用番号）を、発信側電話交換装置で管理するようにしたので、単に着信先となる電話交換装置内の内線番号計画変更などに左右されることなく、自局の局データのみを管理することだけでよいため、電話交換装置のメンテナンスの容易性をアピールすることができる。
【００１２】
また、発信側電話交換装置もしくは、着信側電話交換装置のどちらか一方だけが本発明に係る機能を有していた場合でも、接続先となる相手電話交換装置もしくは一般加入者電話機が、可聴信号音に対して未対応であることを自動的に認識できることから、相手方の電話交換装置の機能有無を意識せずにダイヤル操作できる。
【００１３】
さらに、発信者番号情報を用いて自動応答する着信を認識することで、外線として使用する公衆網と仮想専用線として使用する公衆網を分けることなくトラヒック見合いで全体の公衆網契約回線数を決定でき、公衆網回線の契約数の集約が可能となる。
【００１４】
さらに、ＩＰ電話網を利用した場合は、その多くが、同一ネットワーク内での通話を従量課金ではなく定額課金または無料としていることから、本発明にかかわるシーケンスを実行している間の接続料金を通話時間に換算し、課金することなく処理ができるため、通信費の削減となりその経済効果は増大する。
【発明を実施するための最良の形態】
【００１５】
以下、図面に基づいて本発明の実施の形態を示す電話交換装置について説明する。
【００１６】
図１は、本発明の実施の形態を示す電話交換装置の概略構成を示すブロック図である。電話交換装置１０１と電話交換装置２０１はそれぞれ同様の構成である。説明の都合上、電話交換装置１０１と電話交換装置１０２を公衆網１１０を介して対向して接続している。
【００１７】
それぞれ電話交換装置１０１を発信側電話交換装置、電話交換装置２０１を着信側電話交換装置として説明するが、どちらの電話交換装置が発信側もしくは、着信側の電話交換装置となっても良いことは言うまでもない。
【００１８】
まず、電話交換装置の構成について説明する。図１に示す電話交換装置１０１は、内線電話機となる電話機１０２は内線回路１０３を介して接続されている。内線回路１０３は、電話交換装置に接続される電話機１０２の種類によって、それぞれ異なるインタフェースを備えたパッケージを電話交換装置１０１に収容する。
【００１９】
接続される電話機１０２の種類は、多機能電話機（図示せず。）、一般家庭で用いられる２Ｗ電話機（図示せず。）など様々あるが、本発明の実施の形態ではダイヤル情報の送出が可能な電話機であれば良いので電話機の種類に限定されるものではない。
【００２０】
局線トランク１０４は、公衆網１１０に接続するためのインタフェースであり、電話交換装置１０１に収容されるパッケージである。本発明の実施の形態では、局線トランク１０４を１つで記載してあるが、局線トランク１０４を同様に複数収容すれば複数の公衆網回線と接続することが可能である。
【００２１】
スイッチ１０９は通話路スイッチであり、内線回路１０３と局線トランク１０４などの通信設備に接続され、それぞれの通話路を形成することによって、電話機１０２などの内線電話機相互間、もしくは公衆網１１０を含めた接続を行い通信を行う。
【００２２】
また、電話交換装置１０１は、図示せぬ制御バスを介して制御部１０５、番号変換テーブル１０６、可聴音信号送出部１０７、可聴音信号受信部１０８を備える。  制御部１０５は、上記したスイッチ１０９を制御するＣＰＵである。番号変換テーブル１０６は、いわゆる記憶装置（メモリ）であり、本発明の実施の形態において用いる番号変換テーブルを記載してある。言うまでもなく、この記憶装置には、番号変換テーブルのみならず、電話交換装置全体を制御するプログラム、局データ、呼制御を実施する際に利用する一時メモリも含まれている。
【００２３】
可聴音信号送出部１０７は、本発明の実施の形態で用いられる可聴音（特殊信号）を生成するための制御を行うものである。
【００２４】
可聴音信号受信部１０８は、本発明の実施の形態で用いられる可聴音を受信するための制御を行うものである。
【００２５】
着信側電話交換装置となる電話交換装置２０１は、上記した電話交換装置１０１と同様の構成であり、電話機２０２は電話機１０１と、内線回路２０３は内線回路１０３と、局線トランク２０４は局線トランク１０４と、スイッチ２０９はスイッチ１０９と、制御部２０５は制御部１０５と、番号変換テーブル２０６は番号変換テーブル１０６と、可聴音信号送出部２０７は可聴音信号送出部１０７と、可聴音信号受信部２０８は可聴音信号受信部１０８と同様の制御を行うものである。
【００２６】
図２は、本発明の実施の形態における番号変換データのイメージ図であり、電話交換装置１０１の番号変換テーブル１０６として記憶されている。図２に示す番号変換データは、事業所番号Ｚ２０１と公衆加入者番号Ｚ２０２で構成されている。
【００２７】
図２で示されるように、事業所番号Ｚ２０１一つに対して、一つの公衆加入者番号Ｚ２０２が対応するように構成される。
以下、本発明の実施の形態の第一の実施例として、電話機１０２から電話機２０２に対して発信を行った場合の動作について、図３のシーケンス図を用いて説明する。
【００２８】
なお、発信側電話機を電話機１０２とし内線番号２０００として、発信側電話交換装置を電話交換装置１０１として、着信側電話交換装置を電話交換装置２０１として、着信側電話機を電話機２０２とし内線番号３０００として説明する。
【００２９】
また、電話交換装置１０１の専用線アクセス特番を「８」とし、電話交換装置２０２の電話交換装置アクセス特番を「２０」として説明する。
【００３０】
まず、電話機１０２がオフフックすると（Ｓ３１０）、電話交換装置１０１は、内線回路１０３からオフフック情報を入手し、電話機１０２に対してダイヤルトーンを送出する。電話機１０２は、ダイヤルトーンを聴取すると接続先となる電話番号をダイヤルする。本発明の実施の形態では、電話機２０２に対する発信であるため、「８−２０−３０００」をダイヤルする。上記したが、このダイヤル番号は「専用線アクセス特番＋電話交換装置アクセス特番（着信側電話交換装置）＋電話機２０２の内線番号（着信側電話機内線番号）」である（Ｓ３１１）。
【００３１】
電話交換装置１０１は、電話機１０２からのダイヤルを受信すると、受信したダイヤル情報を記憶装置の呼処理用一時記憶メモリに記憶し、番号変換テーブル１０６を検索する（Ｓ３１２）。本発明の実施の形態では、上記した電話交換装置アクセス特番が検索キーとなる。番号変換データは図２に示したように事業所番号Ｚ２０１と公衆加入者番号Ｚ２０２で構成されているので、電話交換装置アクセス特番「２０」を用いて検索を行う。
【００３２】
電話交換装置１０１は、事業所番号「２０」を認識すると、公衆加入者番号Ｚ２０２を参照し、対応データがありか判定する。公衆加入者番号Ｚ２０２には「０５０−２３４５−６７８９」が記憶されているので対応ありと判定する（Ｓ３１３）。
【００３３】
次に、記憶されている公衆加入者番号Ｚ２０２を用いて番号変換を行い（Ｓ３１４）、局線トランク１０４を捕捉し、番号変換を行った公衆加入者番号Ｚ２０２「０５０−２３４５−６７８９」を用いて、公衆網１１０に対して発信を行う（Ｓ３１５）。公衆網１１０は、電話交換装置１０１からの発信として、通常の接続処理を行うため「０５０−２３４５−６７８９」のダイヤル情報に基づき、電話交換装置２０１に着信処理を行う（Ｓ３１６、Ｓ３１７）。
【００３４】
電話交換装置２０１は、公衆網１１０からの着信に対して、自動的に応答を行う（Ｓ３１８）。このときに公衆網１１０に対して、応答信号を返送してしまうが、インターネット電話などを利用している場合、定額料金や通話料金無料（同一通信キャリア内のみ）などのサービスを利用していれば、通信料金が距離別時間差方式のような加算はされない。
【００３５】
電話交換装置２０１での自動応答は、公衆網１１０から送信されてくる発信者番号情報を用いるとよい。要するに、電話交換装置２０１に収容されている局線トランクの全てが自動応答するとは限らない。このような場合に、発信者番号情報を用いて自動応答する着信を分類すればよい。
例えば、電話交換装置２０１の局データとして設定しておき、着信したときにその局データを参照し、登録がある場合には自動応答を行い、登録がない場合には自動応答を行わない。
【００３６】
また、接続回線となる局線トランク２０４を固定的に（局線トランク２０４への着信は全て自動応答する着信である場合。）利用することが可能であれば、回線毎に自動応答するか否かを局データとして設定する方法でもよい。
【００３７】
電話交換装置２０１からの応答によって、公衆網１１０では、電話交換装置１０１と電話交換装置２０１の通話路を接続する（Ｓ３１９）。
【００３８】
電話交換装置２０１は、応答信号を送出後、可聴音信号送出部２０７を用いて、仮想専用線確立要求信号受信準備完了（以下準備完了信号とする。）を示す可聴音信号を送出する（Ｓ３２０、Ｓ３２１）。
【００３９】
電話交換装置１０１は、可聴音信号を受信すると、可聴音信号受信部１０８を用いて、受信した可聴音信号が準備信号であることを認識すると、可聴音信号送出部１０７を用いて仮想専用線確立要求信号（以下要求信号とする。）を示す可聴音信号を送出する（Ｓ３２２、Ｓ３２３）。
【００４０】
電話交換装置２０１は、可聴音信号を受信すると可聴音信号受信部２０８を用いて、受信した可聴音信号が要求信号であることを認識すると、可聴音信号送出部２０７を用いて仮想専用線確立応答信号（以下応答信号とする。）を送出する（Ｓ３２４、Ｓ３２５）。
【００４１】
電話交換装置１０１は、可聴信号を受信すると可聴音信号受信部１０８を用いて、受信した可聴音信号が応答信号であることを認識すると、一時メモリに記憶してある着信側電話機内線番号（本実施の形態では「３０００」）を抽出し、相手先指定信号としてＰＢ信号を送出する（Ｓ３２６、Ｓ３２７）。このようにしてダイヤル情報を送出するが、電話交換装置１０１と電話交換装置２０１の通話路は接続されたままである（Ｓ３２８）。
【００４２】
電話交換装置２０１は、相手先指定信号として受信したダイヤル情報を受信すると、通常の内線呼び出し処理を実行し（Ｓ３２９）、電話機２０２に対しては着信音の鳴動を開始し（Ｓ３３０）、通話路が接続されている電話機１０２に対しては呼び出し音が送出される（Ｓ３３１）。
電話交換装置２０１は、電話機２０２がオフフックすると応答したものと判断し（Ｓ３３２）、すでに通話路が接続されている（Ｓ３３３）電話交換機１０１と電話交換機２０１の通話路と電話機２０２を接続し、通話となる。
【００４３】
図４は、電話機１０２から発信を行った場合に、番号変換データの対応データがなかった場合のシーケンス図である。図４で示すステップＳ４１１以前までの動作シーケンスは図３で示すステップＳ３１０〜Ｓ３１３までの動作と何ら変わるところがないため説明を省略する。電話交換装置１０１がダイヤル情報を受信し、番号変換テーブルに番号変換データがないと判断したときには、電話機１０２に対して規制音（本実施の形態ではＢＴ（ビジートーン））を送出する（Ｓ４１０）。
【００４４】
図５は、電話機１０２から電話機２０２に対して発信を行った場合に、電話機２０２が話中であった場合の動作シーケンス図である。図５で示すステップＳ５１２以前までの通話路確立までの動作シーケンスについては、図３で示すステップＳ３１０〜Ｓ３２８までの動作と何ら変わるところがないため説明を省略する。
【００４５】
電話交換装置２０１は、ダイヤル情報を受信し内線呼び出し処理を実行し、電話機２０２が話中であることを認識すると、そのまま通話路を接続することにより電話機１０２に対して話中音（ＲＯＴ（リオーダートーン））を聴取させることができる（Ｓ５１０、Ｓ５１１）。
【００４６】
図６は、電話機１０２から電話機２０２に対して発信を行った場合に、局線トランクが全塞がり（話中など）や接続障害などで、局線トランクの補足ができなかった場合の動作シーケンス図である。図６の動作シーケンス図で示すステップＳ６１２以前までの番号変換処理の動作については、図３で示すステップＳ３１０〜Ｓ３１４までの番号変換処理と何ら変わるところがないため説明を省略する。
【００４７】
電話交換装置１０１は、局線トランクの捕捉失敗を認識すると、電話機１０２に対して話中音を聴取させる（Ｓ６１０）。
【００４８】
図７は、電話機１０２から電話機２０２に対して発信を行った場合に、公衆網１１０で話中や接続障害などの場合の動作シーケンス図である。図７の動作シーケンス図で示すステップＳ７１１以前までの局線トランク１０４捕捉後、（変換した）相手番号送出までの動作については、図３で示すステップＳ３１０〜Ｓ３１５、Ｓ３１６までの相手番号送出処理と何ら変わるところがないため説明を省略する。
【００４９】
公衆網１１０は、電話交換装置１０１から加入者番号であるダイヤル情報を受信すると、着信先である電話交換装置２０２の局線トランク２０４への接続を実行する。このときに、局線トランク２０４が使用中であったり、故障などで接続できない状態であることを認識すると、電話交換装置１０１の局線トランクに対して話中音の送出を行う（Ｓ７１０）。
公衆網１１０の処理としては、受信した加入者番号に対して接続処理を行い、相手話中や接続障害などで、回線の接続ができないために、発信者に対して話中音を送出するだけであるので、従来の回線交換処理と何ら変更することはない。
【００５０】
図８は、電話機１０１から電話機２０２に対して発信を行った場合に、電話機２０２を呼出し中に電話機１０１がオンフック（呼び出し途中放棄）を行った場合の動作シーケンス図である。図８の動作シーケンス図で示すステップＳ８１１以前までの内線呼び出しまでの動作については、図３で示すステップＳ３１０〜Ｓ３２９までの内線呼び出し処理と何ら変わるところがないため説明を省略する。
【００５１】
通話路が確立されている状態である電話機１０２は、呼出音（ＲＢＴ（リングバックトーン）を聴取しているが、この状態で電話機１０２がオンフックを行うと（Ｓ８１０）、電話交換装置１０１は電話機１０２がオンフック（切断）したことを内線回路１０３から切断情報を取得して認識すると（Ｓ８１２）、局線トランク１０４に対して切断信号を送出する（Ｓ８１３）。公衆網１１０は、切断信号を受信するので、一般の通話状態から切断信号を受信した場合と同様の呼処理を行うので、電話交換装置２０１に対して切断信号を送出する（Ｓ８１４）。
【００５２】
電話交換装置２０１は、公衆網１１０からの切断信号を受信すると、内線呼出処理を停止し電話機２０２への着信鳴動を停止する（Ｓ８１５）。
【００５３】
図９は、電話機１０１から発信を行ったときに、着信側電話交換機となる電話交換機２０１に本発明で示す制御ができない場合（機能がない。）や、接続相手先が一般加入者電話の場合の接続動作を示す動作シーケンス図である。図９で示すステップＳ９１９以前までの着信動作については、図３で示すステップＳ３１０〜Ｓ３１７で示す着信動作と何ら変わるところがないため説明を省略する。
【００５４】
電話交換装置１０１は、記憶されている公衆加入者番号Ｚ２０２を用いて番号変換を行い、局線トランク１０４を捕捉し、番号変換を行った公衆加入者番号Ｚ２０２「０５０−２３４５−６７８９」を用いて、公衆網１１０に対して発信を行うと、公衆網１１０からの応答信号を受信しないために通話路の確立ができない。
【００５５】
この場合には、電話交換装置１０１内の内部タイマーを用いてタイマーの起動を行う（Ｓ９１０）。電話交換装置２０１では、公衆網１１０からの着信に対して自らの局データに従い着信を行う（Ｓ９１１）。例えばダイヤルイン着信や中継台着信、ダイレクトインダイヤル着信、ダイレクトインライン着信、分散着信などである。本発明の実施の形態では公衆網１１０（局線）からの着信については何ら特定されるものではないので、上記何れかの方法を用いて電話機２０２に対して着信すればよい（Ｓ９１２）。
【００５６】
電話機２０２に対する着信が行われると、公衆網１１０より呼出音が送出されるため電話交換装置１０１の局線トランク１０４に呼出音が送出されている（Ｓ９１３）。
【００５７】
一方、電話交換装置１０１では、ステップＳ９１０で起動されたタイマーの満了を監視し、タイマー満了となったときに（Ｓ９１４）、電話機１０２との通話路を設定する（Ｓ９１５）。このようにして通話路が設定されることで、電話機１０２に呼出音が送出され（Ｓ９１６）、通常の着信と同様の処理が行われる。
【００５８】
電話機２０２が応答を行うことによって（Ｓ９１７）、電話機１０２と電話機２０２の通話路が確立される（Ｓ９１８）。
【００５９】
なお、タイマーの設定時間によって電話機２０２が応答後にタイマー満了となることが考えられるが、このタイマーの設定時間を可変として、電話交換装置１０１の局データとすることで、実用的なタイマー値（例えば１秒程度など。）に変更することが可能である。
【００６０】
図１０は、着信側電話交換装置で準備信号を送出後、何等かの原因（接続先電話交換装置の可聴音信号送出部の故障、公衆網１１０の回線状態の不良による信号音の受信エラーなど）で、要求信号の受信ができなかった場合の動作を示すシーケンス図である。図１０で示すステップＳ１００６、Ｓ１００７以前までの準備信号送出動作については、図３で示すステップＳ３１０〜Ｓ３２０，Ｓ３２１の準備信号送出動作と何ら変わるところがないため説明を省略する。
【００６１】
電話交換装置２０１は、準備信号を送出すると監視タイマーの起動を行う（Ｓ１００８）。この監視タイマーは要求信号の受信を待つ時間であり、タイマーの満了となったときには（Ｓ１００９）、電話交換装置２０１の局データに従い着信処理を行う。本発明の実施の形態では例えば代表内線呼出である（Ｓ１０１０）。これは、要求信号の受信ができなかった場合に、予め着信先となる電話機を局データとして設定しておくことにより、着信先内線電話機を決定する。
【００６２】
公衆網１１０に対しては呼出音が送出され（Ｓ１０１２）、電話交換装置２０１では着信先内線電話機が着信鳴動をする。電話機２０２が応答することにより（Ｓ１０１３）電話機１０２と電話機２０２との通話路が確立する。
次に、本発明の実施の形態の第二の実施例として、電話機１０２から電話機２０２に対して発信を行った場合の動作について、図１１のシーケンス図を用いて説明する。なお、図１１において、図３と同様の動作については同様の符号で記載してあり、処理についても同様の処理を行えばよいため、詳細な説明は省略する。
【００６３】
図１１で示す動作シーケンスと図３で示す動作シーケンスでの異なる点は、ステップＳ１１１０で示すタイマーの設定である。電話交換装置１０１から番号変換処理を行い、公衆網１１０に対して発信処理を行うまでは、図３を用いて説明した通りであるが、発信処理を実行後、監視タイマーの起動を行う（Ｓ１１１０）。この監視タイマーは着信側電話交換装置となる電話交換装置２０１の自動応答待ち時間であり、電話交換装置１０１の局データとして任意の時間設定が可能である。
【００６４】
電話交換装置１０１では、タイマーの起動後、タイマー満了まで一定の待ち時間を設けて、タイマー満了後に（Ｓ１１１１）要求信号の送出を行う。その後の動作については前述した通り、図３で示す動作と同様のものとなる。
【００６５】
このように構成することにより、準備信号の受信を待つ必要がなくなり、それぞれの電話交換装置での処理時間の短縮を図ることができる。当然の如く、この第二の実施例を用いる場合は、着信側となる電話交換装置２０１での自動応答が前提となる。
【００６６】
なお、本発明の実施の形態においては、実施の形態を公衆網１１０として記載したが、可聴音信号（例えばＰＢ信号）の透過ができる通信網であれば、アナログ網、ディジタル網、専用線網、ＶｏＩＰ機能を利用したＩＰ電話網など様々な通信網で構成することも可能であることは明らかである。
【００６７】
以上説明したように、本発明に係る電話交換装置１０１、２０１は、専用回線への番号計画に基づいたダイヤル情報を、公衆網１１０に対する加入者番号に変更すること可能とすることができ、単に番号変換を行うのみならず、着信側電話交換装置と信号情報の送受信を行うことによって、接続先となる内線電話機の指定情報を発信側の電話交換装置から自動で送信することができる。
【００６８】
さらに、本発明に係る番号変換テーブル１０６は、図２で示すように、着信先となる加入者番号と専用線番号計画で用いられる事業所番号（電話交換装置の自局着信用番号）を、発信側電話交換装置で管理するようにしたので、単に着信先となる電話交換装置内の内線番号計画変更などに左右されることなく、自局の局データのみを管理することだけでよいため、電話交換装置のメンテナンスの容易性をアピールすることができる。
【図面の簡単な説明】
【００６９】
【図１】本発明に係る電話交換装置の実施の形態の全体構成図
【図２】本発明に係る番号変換テーブルの一実施の形態のイメージ図
【図３】本発明に係る発信動作の一実施の形態のシーケンス図
【図４】本発明に係る発信異常動作の一実施の形態のシーケンス図
【図５】本発明に係る着信先電話機話中動作の一実施の形態のシーケンス図
【図６】本発明に係る話中動作の一実施の形態のシーケンス図
【図７】本発明に係る話中動作の一実施の形態のシーケンス図
【図８】本発明に係る発信途中放棄動作の一実施の形態のシーケンス図
【図９】本発明に係る信号送受不可動作の一実施の形態のシーケンス図
【図１０】本発明に係る着信動作の一実施の形態のシーケンス図
【図１１】本発明に係る発信動作の一実施の形態のシーケンス図
【符号の説明】
【００７０】
１０１、２０１：電話交換装置
１０２、２０２：電話機
１０３、２０３：内線回路
１０４、２０４：局線トランク
１０５、２０５：制御部（中央制御装置（ＣＰＵ））
１０６、２０６：番号変換テーブル（記憶装置）
１０７、２０７：可聴音信号送出部
１０８、２０８：可聴音信号受信部
１０９、２０９：通話路スイッチ
【図１】
2008154294.tif 000003
【図２】
2008154294.tif 000004
【図３】
2008154294.tif 000005
【図４】
2008154294.tif 000006
【図５】
2008154294.tif 000007
【図６】
2008154294.tif 000008
【図７】
2008154294.tif 000009
【図８】
2008154294.tif 000010
【図９】
2008154294.tif 000011
【図１０】
2008154294.tif 000012
【図１１】
2008154294.tif 000013